(57)【要約】      （修正有）【課題】玉掛け作業に使用するワイヤーロープに取り付けて点検したことを表示する点検表示具であって、簡単に取り替えることができる点検表示具を提供する。【解決手段】点検表示具１０は、ワイヤーロープＭに取り付けて点検したことを表示するものであり、ワイヤーロープＭの外周に沿うように円弧状に湾曲され、周方向の一部に開口１１が設けられた湾曲部１２を有している。湾曲部１２は、ワイヤーロープＭの長さ方向に所定の長さを有しており、その長さ方向の両端部は開放されている。湾曲部１２の周方向の両端部には、外側に向かい折り返すように突出された一対の突起部１３が設けられている。【選択図】図２
0003212340.tif 000002
【実用新案登録請求の範囲】
【請求項１】
ワイヤーロープに取り付けて点検したことを表示する点検表示具であって、
ワイヤーロープの外周に沿うように円弧状に湾曲され、周方向の一部に開口が設けられた湾曲部を有し、
この湾曲部はワイヤーロープの長さ方向の両端部が開放されており、
前記湾曲部の周方向の両端部には、外側に向かい折り返すように突出された一対の突起部が設けられた
ことを特徴とする点検表示具。
【請求項２】
前記湾曲部の内周の長さは、前記湾曲部の内径の６５％以上８０％以下の範囲内であることを特徴とする請求項１記載の点検表示具。
【請求項３】
互いに色が異なる第１点検表示具、第２点検表示具、第３点検表示具、及び、第４点検表示具を備え、点検月に応じて、色を変えていずれかを用いることを特徴とする請求項１又は請求項２記載の点検表示具。
【考案の詳細な説明】
【技術分野】
【０００１】
本考案は、玉掛け作業に使用するワイヤーロープについて点検したことを表示する点検表示具に関する。
【背景技術】
【０００２】
玉掛け作業に使用するワイヤーロープについては、クレーン等安全規則により使用する日ごとに点検することが義務つけされている（非特許文献１参照）。従来は、点検したことを明確として安全性を向上させるために、ワイヤーロープの端部に月毎に異なる色のビニールテープを巻き、点検の有無を示していた。しかしながら、玉掛け作業の際には、厚手の作業手袋等をつけているので、ワイヤーロープに巻かれているビニールテープを取り外し、新しいビニールテープを巻くという細かい作業はやり難く、テープの取り替えの手間が煩わしいという問題があった。
【先行技術文献】
【非特許文献】
【０００３】
【非特許文献１】クレーン等安全規則（昭和４７年９月３０日労働省令第３４号）２２０条
【考案の概要】
【考案が解決しようとする課題】
【０００４】
本考案は、このような問題に基づきなされたものであり、簡単に取り替えることができる点検表示具を提供することを目的とする。
【課題を解決するための手段】
【０００５】
本考案の点検表示具は、ワイヤーロープに取り付けて点検したことを表示するものであって、ワイヤーロープの外周に沿うように円弧状に湾曲され、周方向の一部に開口が設けられた湾曲部を有し、この湾曲部はワイヤーロープの長さ方向の両端部が開放されており、湾曲部の周方向の両端部には、外側に向かい折り返すように突出された一対の突起部が設けられたものである。
【考案の効果】
【０００６】
本考案の点検表示具によれば、ワイヤーロープの外周に沿うように円弧状に湾曲され、周方向の一部に開口が設けられた湾曲部を有するようにしたので、厚手の作業手袋等をつけていても、開口からワイヤーロープを挿入することにより、簡単にワイヤーロープに取り付けることができる。また、湾曲部の周方向の両端部に、外側に向かい折り返すように突出された一対の突起部を設けるようにしたので、厚手の作業手袋等をつけていても、突起部を引掛けて引っ張ることにより、簡単にワイヤーロープから取り外すことができる。よって、簡単に取り替えることができ、作業効率を向上させることができる。
【０００７】
また、湾曲部の内周の長さを湾曲部の内径の６５％以上８０％以下の範囲内とすれば、簡単に取り替えることができると共に、取り付けた後は安定して固定することができる。
【０００８】
更に、互いに色が異なる第１点検表示具、第２点検表示具、第３点検表示具、及び、第４点検表示具を備えるようにすれば、点検月に応じて、色を変えていずれかを用いることにより、点検した月を簡単に識別することができる。
【図面の簡単な説明】
【０００９】
【図１】本考案の一実施の形態に係る点検表示具の構成を表す図である。
【図２】図１に示した点検表示具をワイヤーロープに取り付けた状態を表す図である。
【考案を実施するための形態】
【００１０】
以下、本考案の実施の形態について、図面を参照して詳細に説明する。
【００１１】
図１は、本考案の一実施の形態に係る点検表示具１０の構成を表すものである。図２は、点検表示具１０をワイヤーロープＭに取り付けた状態を表すものである。図１及び図２において、（Ａ）はワイヤーロープＭの長さ方向に沿った側面図、（ｂ）はワイヤーロープＭの長さ方向に垂直方向の側面図である。この点検表示具１０は、ワイヤーロープＭに取り付けて点検したことを表示するものであり、ワイヤーロープＭの外周に沿うように円弧状に湾曲され、周方向の一部に開口１１が設けられた湾曲部１２を有している。
【００１２】
湾曲部１２は、ワイヤーロープＭの長さ方向に所定の長さを有しており、その長さ方向の両端部は開放されている。湾曲部１２の長さ方向の長さは、例えば、２ｃｍから４ｃｍの範囲内とすることが好ましい。長さがこれよりも短いと大きさが小さいために厚手の作業手袋等をつけて取り付け取り外しをするのが難しく、長さがこれよりも長いと取り付け取り外しの長さが長くなるために手間がかかり、簡便性に欠けるからである。
【００１３】
湾曲部１２の内周の長さは、例えば、湾曲部の内径の６５％以上８０％以下の範囲内であることが好ましい。内周の長さがこれよりも長いと取り付け取り外しが難しくなり、これよりも短いと取り付けた後に取れやすく、安定して固定することができないからである。
【００１４】
湾曲部１２の周方向の両端部には、外側に向かい折り返すように突出された一対の突起部１３が設けられている。取り外すときに引掛けて容易に引っ張ることができるようにするためである。突起部１３の突出方向の長さは、例えば、２ｍｍから４ｍｍの範囲内とすることが好ましい。長さがこれよりも短いと引掛けることが難しく、長さが長いと邪魔になるからである。
【００１５】
この点検表示具１０は、例えば、互いに色が異なる第１点検表示具、第２点検表示具、第３点検表示具、及び、第４点検表示具を備えていることが好ましい。点検月に応じて、色を変えていずれかを用いるようにすれば、点検した月を簡単に識別することができるからである。例えば、第１点検表示具を緑色、第２点検表示具を黄色、第３点検表示具を赤色、第４点検表示具を白色とし、第１点検表示具から順番に繰り返し月毎に色を変えて用いるようにすることが好ましい。
【００１６】
また、点検表示具１０は、例えば、硬質塩化ビニル等のプラスチックにより構成されることが好ましい。着色が容易で、かつ、錆などがなく、取り扱いが容易だからである。
【００１７】
この点検表示具１０は、例えば、玉掛け作業に使用するワイヤーロープＭを点検した時に、ワイヤーロープＭの端部に取り付けられる。これにより、点検したことを確認することができる。また、月により、取り付ける点検表示具１０の色を変えることにより、点検した月も簡単に識別できる。次に点検をした時には、取り付けられている点検表示具１０を取り外し、新しく、その月の色に対応した点検表示具１０を取り付ける。
【００１８】
このように本実施の形態によれば、ワイヤーロープＭの外周に沿うように円弧状に湾曲され、周方向の一部に開口１１が設けられた湾曲部１２を有するようにしたので、厚手の作業手袋等をつけていても、開口１１からワイヤーロープＭを挿入することにより、簡単にワイヤーロープＭに取り付けることができる。また、湾曲部１２の周方向の両端部に、外側に向かい折り返すように突出された一対の突起部１３を設けるようにしたので、厚手の作業手袋等をつけていても、突起部１３を引掛けて引っ張ることにより、簡単にワイヤーロープＭから取り外すことができる。よって、簡単に取り替えることができ、作業効率を向上させることができる。
【００１９】
また、湾曲部１２の内周の長さを湾曲部１２の内径の６５％以上８０％以下の範囲内とすれば、簡単に取り替えることができると共に、取り付けた後は安定して固定することができる。
【００２０】
更に、互いに色が異なる第１点検表示具、第２点検表示具、第３点検表示具、及び、第４点検表示具を備えるようにすれば、点検月に応じて、色を変えていずれかを用いることにより、点検した月を簡単に識別することができる。
【００２１】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００２２】
１０…点検表示具、１１…開口、１２…湾曲部、１３…突起部、Ｍ…ワイヤーロープ
【図１】
0003212340.tif 000003
【図２】
0003212340.tif 000004